(57)【特許請求の範囲】
【請求項１】
一方向に連続して循環駆動されるチェーンの外周に複数のフライトを配備して同フライトが池底上にくるとき池底の汚泥を掻き寄せる一方水面にくるときにスカムを汚泥とは逆向きに掻き寄せるように汚泥・スカム掻寄装置を構成するとともに同汚泥・スカム掻寄装置より下流側に池長手方向にその長手方向を向けて越流堰を配備した矩形沈澱池において、同越流堰の長手方向両端にスプロケットを備えて両スプロケット間に循環運動自在に掛けられたチェーンにより堰長手方向に往復駆動自在なキャリアを装備するとともに、同キャリアに備えた除去具により越流堰の表面に付着する藻類を除去するように構成し、かつ、前記チェーンは、前記汚泥・スカム掻寄装置の回転軸回りのスプロケット側と前記越流堰のスプロケットとの間に掛けられたチェーンにより一方向に連続駆動されるように連動自在とされた越流堰清掃装置であって、前記越流堰のチェーンには、１本のピンが突設される一方、キャリア側には、下回りにくるピンと上回りにくるピンにそれぞれ係合可能で一定の負荷により弾性変形してピンとの係合を解除するリミッタが設けられていて、キャリアを往復運動可能に構成したことを特徴とする越流堰清掃装置。
【発明の詳細な説明】
【０００１】
【産業上の利用分野】
この発明は、越流堰清掃装置に関する。
【０００２】
【従来の技術】
例えば、矩形の沈澱池においては、沈澱池の幅方向に長手方向を向けて横断するように越流堰が配列されたり、あるいは、幅方向に直交する方向に長手方向を向けて越流堰が配列されている。前者の場合、越流堰の端から池側内縁に添って設けられた溝を通って排水がなされ、また一方、後者の場合、複数の越流堰の端部から直交して配した共通の集水溝に排水がなされる。
【０００３】
【発明が解決しようとする課題】
ところで、この越流堰には、Ｖノッチが付されているが、その溝内面や上面さらにはＶノッチ面等に多量の藻が付着する。これまでは、これらの藻を人手により定期的に清掃していたため、大変な作業を要求されていたし、沈澱池に落ちたりするおそれもあった。
この発明は前記課題を解決するためになされたもので、その目的とするところは、機械的な装置でこれらの藻類を簡単かつ確実に除去することのできる越流堰清掃装置を提供することにある。
【０００４】
【課題を解決するための手段】
前記課題を解決するため、請求項１記載の発明は、一方向に連続して循環駆動されるチェーンの外周に複数のフライトを配備して同フライトが池底上にくるとき池底の汚泥を掻き寄せる一方水面にくるときにスカムを汚泥とは逆向きに掻き寄せるように汚泥・スカム掻寄装置を構成するとともに同汚泥・スカム掻寄装置より下流側に池長手方向にその長手方向を向けて越流堰を配備した矩形沈澱池において、同越流堰の長手方向両端にスプロケットを備えて両スプロケット間に循環運動自在に掛けられたチェーンにより堰長手方向に往復駆動自在なキャリアを装備するとともに、同キャリアに備えた除去具により越流堰の表面に付着する藻類を除去するように構成し、かつ、前記チェーンは、前記汚泥・スカム掻寄装置の回転軸回りのスプロケット側と前記越流堰のスプロケットとの間に掛けられたチェーンにより一方向に連続駆動されるように連動自在とされた越流堰清掃装置であって、前記越流堰のチェーンには、１本のピンが突設される一方、キャリア側には、下回りにくるピンと上回りにくるピンにそれぞれ係合可能で一定の負荷により弾性変形してピンとの係合を解除するリミッタが設けられていて、キャリアを往復運動可能に構成したことを特徴とする。
【０００５】
【実施例】
以下、図示した実施例を参照してこの発明を詳細に説明する。
図１ないし図５は、この発明の一実施例を示している。この実施例において１は越流堰で、同越流堰１は、矩形沈澱池の幅方向に直交する方向に長手方向を向けて平行に配列されたものの１つである。この場合、複数の越流堰１の端部には図４および図５に示すように、直交して配した共通の集水溝２を通じて排水がなされる。
【０００６】
越流堰１の左右外側には、パッキン３を介してＶノッチ４が配され、押さえ板５により固定されている。この固定は、アンカー６にナット７をねじ込んでなされるが、ここでは、底付の孔８を押さえ板５に配列しておき、その中にナット７が収まるように工夫することで、清掃装置の除去具が移動しても引っ掛からないものである。
【０００７】
ところで、越流堰１は、内底面ａ、内側面ｂ、上面ｃ、外側面ｄを備える。これらの面を次の装置で効果的に清掃する。
清掃装置は、キャリア１０を備え、同キャリア１０は、前後に向く２本の上側部材１１を備え、同上側部材１１の前後両端にＬ形の端部材１２を備える。そして、端部材１２の各端部には、下向きに伸びた脚部１３が取り付けられ、同脚部１３の各外側下部に走行ローラ１４が取り付けられている。走行ローラ１４は、越流堰１の上面ｃを転動するもので、同上面ｃから外れないように内端にフランジ１５を備える。
【０００８】
越流堰１の端部には、図４および図５に示すように、対向状にシーブ１７が配され、各対のシーブ１７間に駆動条材（ワイヤーロープ）１８が掛けられている。そして、この駆動条材１８の中途は、上側部材１１の底面に固定したブラケット１９に取り付けられている。２０は駆動源で、共通軸２１を介してシーブ１７が同時駆動されることで、キャリア１０は往復駆動される。
【０００９】
上側部材１１の４点には、縦孔が形成され、これらの孔を介して下端がＬ形をした取付板２３…が取り付けられている。各取付板２３は、上端の支持軸２４とナット２５により縦軸回りに適宜な角度で固定される構造になっている。そして、各取付板２３にはゴム板でなる第１除去具２６が張り付けられている。
【００１０】
これらの第１除去具２６…は、上からみて斜め方向に向けられ、一側の１対と他側の１対は、往復移動の一方において前後の一方が積極的に擦り上げながら進行し他方が消極的に擦りながら進行する。すなわち、上からみてハの字あるいはＶの字になっている。
【００１１】
第１除去具２６は、図３に示すように、内底面ａと内側面ｂの両面を１つの具で同時に擦るが、第１除去具２６は、左右だけでなく前後にも離れて配置されているので、これらの間を越流水が自由に流れ得るようになっている。第１除去具２６の枚数は同実施例に限定されず、左右１枚ずつで合計２枚で構成してもよい。
【００１２】
２８は第２除去具であり、同除去具２８は、上面ｃを擦りながら進行する。第２除去具２８は、端部材１２の左右２点に設けられたブラケット２９を介して取り付けられ、藻を溝内に持ち込むように、上からみて斜め面になるように固定され、その下端で擦りながら進行するようになっている。同第２除去具２８は、側面からみて斜めに向けてもよい。
【００１３】
３１は第３除去具を示す、同除去具３１は、ブラケット１９の両端部から下向きに伸びた取付板３２を介してＶノッチ４を含む外側面ｄを擦りながら進行するように取り付けられている。この第３除去具３１も側面からみて斜めに設けられてもよい。
【００１４】
図１の実線矢印のように駆動条材１８が駆動されると、ブラケット１９を介してキャリア１０が図の右方向に進行し、逆に破線矢印のように駆動条材１８を駆動すると、キャリア１０は図の左方向に進行する。その結果、キャリア１０は往復駆動される。これに伴って、越流堰１は、第１〜第３除去具２６，２８，３１が同時に擦りながら進行することで藻が除去される。尚、除去具はゴム板であったが、そのうち一部あるいは全部をブラシとすることがある。
【００１５】
尚、図５のキャリア１０の部分に仮想線で示すものは、第１除去具２６の配列のし方で、上段のものは、進行方向に直交した面になるように配したもの、中段のものは、進行方向に斜めで全て平行に配列されたもの、下段のものは、ハの字に配した一側と平行に配した他側のものとを組み合わせたものを示している。また、図６に示すように、第１除去具２６は上からみて半円筒状のものにしてもよい。
【００１６】
図６は他の駆動方式を示す平面図である。すなわち、複数連の各越流堰１の長手方向両端部付近にそれぞれ縦軸状にシーブ３５…を配し、これらのシーブ３５…を蛇行状に巡回するように無端式の駆動条材３６が掛けられている。この駆動条材３６は、それぞれのキャリア１０に取り付けられている。隣合うキャリア１０は、互いに逆向きに進行するのであり、すなわち、シーブ３５…のうち１つを往復駆動することで、キャリア１０…は駆動される。
【００１７】
尚、越流堰１の端部より乗り上げレール３７を付加すれば、キャリア１０がこれに乗り上がって越流堰１より外部に回避させることもできる。この場合、シーブ３５の位置を仮想線のようにずらせる。
【００１８】
尚、図７に示すように、第３除去具３１（他の除去具も同様）をブラケット１９にピン３８で回転自在に止め付け、これにバネ３９で付勢して、第３除去具３１を外側面ｄに押し付けるように構成してもよい。また、同図に示すように、Ｖノッチ４は、越流堰１に埋め込んだメス孔４０ａ付のアンカー４０に丸頭４１ａのボルト４１で締め付け固定するようにしてもよい。
【００１９】
図８は他の実施例を示す。同実施例は、キャリア１０に横軸４３を設け、この軸４３まわりに駆動条材１８で前後揺動されるレバー４４を取り付け、同レバー４４を前後に９０°の範囲で停止するようにストッパ４５，４５を１対配してある。そして、横軸４３まわりには、Ｌ形をした取付板４６を９０°ずらせて取り付け、各取付板４６に第１除去具２６を取り付けてある。第１除去具２６の一方のものは、内底面ａの一側および一方の内側面ｂを、また、他方の第１除去具２６は、内底面ａの他側および他方の内側面ｂをそれぞれ擦りながら進行する。これが、レバー４４を９０°切り換え駆動することで交互になされる。
【００２０】
すなわち、実線矢印の方向に駆動条材１８が引かれることで、レバー４４も同じ方向に倒れ、これにより一方の第１除去具２６が除去作用をする。他方の第１除去具２６は図示のように後方上にある。一方、図示破線矢印のように駆動条材１８が引かれることで、他方の第１除去具２６が溝内に回転してゆき擦りながら進行する。このように１対の第１除去具２６，２６が往復運動の度に交互に作用するのである。
【００２１】
図９は他の実施例を示す。同実施例は、Ｖノッチ板５０が２枚折り曲げにより形成されたもので、その内板５０ａが越流堰１にアンカー５１およびナット５２で取り付けられ、外板５０ｂは、第３除去具３１が当たらないように締め付け用の孔５０ｃのみを形成したものになっている。
尚、この発明の越流堰清掃装置は、円形沈澱池その他の沈澱池の越流堰に適用がある。
【００２２】
図１０および図１１は他の実施例を示す。この実施例は、汚泥・スカム掻寄装置Ｓの動力をそのまま利用して前記キャリア１０を往復駆動させるものである。すなわち、汚泥・スカム掻寄装置Ｓは、回転軸６０とスプロケット６１とチェーン６２とを備え、一方向（図１０の右回り）に循環駆動されるチェーン６２の外周にフライト６３…を備えるが、水面近くの前後２本の回転軸６０のうち越流堰６４に近い側の回転軸６０の外周に、前記スプロケット６１とは別に動力取出のためのスプロケット６５を取り付けてあり、このスプロケット６５にチェーン６６を介して他のスプロケット６７を一方向に連続循環駆動するようにし、また、このスプロケット６７と越流堰６４側のスプロケット６８間にチェーン６９を掛けてある。越流堰６４は、矩形沈澱池の長手方向（図１０の左右方向）にその長手方向を向けて下流側の水面に配備されており、その前後両端にキャリア１０駆動用のスプロケット７０を配してある。尚、スプロケット６８とスプロケット７０とは同一軸芯上にある。
【００２３】
図１０において、フライト６３は右まわりに駆動される。スプロケット６１は右回転し、スプロケット６５も右まわりに回転する。そして、チェーン６６を介してスプロケット６７も右回転し、さらにチェーン６９を介してスプロケット６８およびスプロケット７０も全て右回転する。これは連続した回転で可逆回転ではない。これにより、チェーン７１も右まわりに循環式に回転するが、図１１のように、チェーン７１にはその１個所にだけピン７２が側方に突設されている。キャリア１０の前端あるいは前および後端もしくは前後間には、板バネあるいは合成ゴム等でなるリミッタ７３を上下に備える板材７４が突設されている。
【００２４】
スプロケット７０のブラケットにはキャリア１０が当たるストッパ７５が突設されている。チェーン７１は図示矢印方向に連続駆動され、ピン７２がリミッタ７３に係合しながらキャリア１０を同行させる。例えば、図１１は、ピン７２が下まわりを左方向に移動して下側のリミッタ７３に係合してキャリア１０を左方向に同行させる様子を示している。ピン７２がさらに左方向に移動してキャリア１０の前側に突設したリミッタ取付材７４が実線の位置から仮想線の位置に同行により進むと、ストッパ７５に当り、リミッタ取付材７４にはストッパ７５からの負荷が掛かるようになり、そのとき、ピン７２はそのまま左方向に強制駆動されるので、そのピン７２はリミッタ７３を弾性変形させて乗り越えるようになり、前記係合を解除することになる。
【００２５】
これで一方向の清掃は終了したのであり、逆方向への清掃は、ピン７２がスプロケット７０を周回して上のリミッタ７３に当たってキァリア１０を同行することでなされる。この逆方向の清掃も上のリミッタ７３をピン７２が越えることで終了し、同ピン７２が下まわりにきて下のリミッタ７３に当たってキァリア１０を同行することで反対方向への清掃駆動が始まる。
【００２６】
尚、チェーン７１の上および下まわりはキァリア１０の重心より下方に位置させることもある。スプロケット７０は縦軸まわりに回転することもある。チェーン７１に代え、ワイヤーロープを使用してもよい。
【００２７】
この実施例によれば、越流堰６４側でリミッタ７３を構成したので、チェーンの駆動方向を切り換えたりする複雑な機構が不要である。
尚、下まわりの回転軸６０のスプロケット６１に隣接してスプロケット６５を配し、同スプロケット６５にチェーン６６を掛けてスプロケット６７を駆動するようにし、チェーン６９を駆動するようにしてもよい。
【００２８】
また、同図に仮想線で示すように、回転支持軸１００まわりにレバー１０１を支持し、同レバー１０１に係合爪１０２を備えるとともにバネ１０３で戻るようにし、係合爪１０２により常に同一方向に回転するようにラチェット歯１０４を設けるとともに、同歯１０４と同軸に配したスプロケット１０５でチェーン６９を間欠的に同一方向に駆動するようにしてもよい。
【００２９】
レバー１０１がフライト６３により蹴られると、係合爪１０２がラチェット歯１０４に係合したまま左まわりに回転させるとともに、スプロケット１０５を同時に回転させてチェーン６９を間欠駆動させる。これにより、前記実施例と同様にキァリア１０を左方向に駆動させ、同キァリア１０が端にくると、リミッタ７３をピン７２が越えて再び上方のリミッタ７３にピン７２が係合する。これで、キァリア１０を往復駆動させ得る。また、フライト６３上に、掛止爪１１１つきコンベア１１０を配して、フライト６３で連動可能としてもよい。
【００３０】
図１２および図１３は他の実施例を示す。同実施例は、越流堰８０のをキァリア１０で清掃するものにおいて、シーブ付モーター８１と複数個のシーブ８２…でワイヤーロープ８３を平面矩形状に掛け渡し、モーター８１を可逆回転駆動するものである。これにより、越流堰８０の清掃と同時にスカムの掻き寄せも行うようにした。
【００３１】
すなわち、ワイヤーロープ８３を可逆回転させることで２列の越流堰８０内をキァリア１０を互いに逆方向に駆動されて清掃が可能であることは図示から明白である。池の中央には、トラフ８５が横架され、その前側に回転軸８６で上下揺動可能に支持された堰８７が取り付けられている。この堰８７は、水面以下にくることで、水面上のスカムをトラフ８５内に誘引して流出させる。
【００３２】
同スカム除去装置の前方には、ワイヤーロープ８３の平行な部分にヒンジ８８が設けられ、同ヒンジ８８により開閉運動するように掻寄板８９が取り付けられている。この掻寄板８９は、水面以下からワイヤーロープ８３以上の高さまでに設けられている。また、同掻寄板８９の先端にはフロート９０が取り付けられている。
【００３３】
９１は開放姿勢受体、９２は閉止姿勢受体で、共にワイヤーロープ８３に一定の前後間隔を置いて取り付けられている。前者９１は、図１２に示すように、２枚の掻寄板８９が進行に伴って開いた時にその背部を受けて開いた形に保持しながら後から押し付けるものである。また後者９２は、掻寄板８９が左方向に戻る際に閉止状熊になるのを保持するとともに左方向に同行移動させるためのものである。
【００３４】
すなわち、堰８７の方向にワイヤーロープ８３が引かれる場合、その抵抗で掻寄板８９は自然に開き、その開き姿勢を開放姿勢受体９１により保持する。そして、そのスカムをトラフ８５内に誘引する。一方、ワイヤーロープ８３が反トラフ方向に引かれる時、抵抗により掻寄板８９は閉じ、それを閉止姿勢受体９２で受けて保持しながらスカムを戻さないようにしながら復帰する。この往復運動をしてスカムをトラフ方向に押しやるのである。尚、掻寄板８９がトラフ８５側に接近した時に堰８７を押し下げるようにしてもよい。
【００３５】
尚、図１３に仮想線で示すように、ワイヤーロープ８３に下向きのカム９３を備えておいて、堰８７の方向に引かれる際に同堰８７を押さえ込むようにしてスカムを誘引するように連動させてもよい。カム９３が通過あるいは戻ることで、中空状の堰８７は自力で浮上する。この場合、シーブ８２は板想線８２′のように横軸まわりに回転するようにしてカム９３で押さえ込む際にワイヤーロープ８３が抜けないようにしてもよい。このカム９３は、掻寄板８９の前に備え付けることもできる。また、同掻寄板８９より図１３の左側一部はワイヤーロープでなくロッド状にしてもよい。
【００３６】
【発明の効果】
この発明は以上のような越流堰清掃装置であるので、機械的な装置でこれらの藻類を簡単かつ確実に除去することのできる越流堰清掃装置を提供することができる。
【図面の簡単な説明】
【図１】この発明の一実施例を示す越流堰清掃装置の側面図である。
【図２】図１の平面図である。
【図３】図１のＩＩＩ−ＩＩＩ線断面図である。
【図４】駆動装置の部分を示す断面図である。
【図５】清掃装置の全体平面図である。
【図６】他の駆動装置を示す平面図である。
【図７】他の実施例を示す断面図である。
【図８】他の実施例を示す斜視図である。
【図９】他の実施例を示す斜視図である。
【図１０】他の実施例を示す側面図である。
【図１１】同拡大図である。
【図１２】他の実施例を示す平面図である。
【図１３】同実施例の側面図である。
【符号の説明】
１，６４，８０…越流堰、４，５０…Ｖノッチ、１０…キャリア、１７，３５，８１，８２…シーブ、１８，３６…駆動条材。
【図１】
0003663586.tif 000002
【図２】
0003663586.tif 000003
【図３】
0003663586.tif 000004
【図４】
0003663586.tif 000005
【図５】
0003663586.tif 000006
【図６】
0003663586.tif 000007
【図７】
0003663586.tif 000008
【図８】
0003663586.tif 000009
【図９】
0003663586.tif 000010
【図１０】
0003663586.tif 000011
【図１１】
0003663586.tif 000012
【図１２】
0003663586.tif 000013
【図１３】
0003663586.tif 000014